(57)【特許請求の範囲】
【請求項１】
メモリカードを装着又は分離できる機構を有し、装着されたメモリカードとの間でデータの受け渡しが可能な通信端末機において、
メモリカードには、少なくとも、個人識別番号と、個人識別番号フラグと、ユーザデータフラグが保持され、
メモリカードに保持される個人識別番号フラグは、当該メモリカードに保持される個人識別番号が当該通信端末機により読み出されて当該通信端末機で使用される番号として当該通信端末機に保存されたときにオフとされ、当該メモリカードに保持される個人識別番号が当該通信端末機で使用される番号として当該通信端末機に保存されていた状態から削除されたときにオンとされ、
メモリカードに保持されるユーザデータフラグは、当該メモリカードが当該通信端末機に装着された状態で使用者の認証が確立されたときにオフとされ、当該メモリカードが当該通信端末機から正常に分離されるときにオンとされ、
当該通信端末機は、装着状態が検出されたメモリカードに保持された個人識別番号フラグ及びユーザデータフラグがオンであるか否かを判定する手段と、当該個人識別番号フラグがオンであると判定された場合には、当該メモリカードに保持されている個人識別番号が当該通信端末機により読み出されて当該通信端末機で使用される番号として当該通信端末機に保存され、当該個人識別番号フラグがオンでないと判定された場合には、当該ユーザデータフラグがオンであるか否かを判定し、当該ユーザデータフラグがオフであると判定された場合には、当該メモリカードは不正に分離されたものであるとみなして、エラーであるとする手段と、を備えた、
ことを特徴とする通信端末機。
【発明の詳細な説明】
【０００１】
【発明の属する技術分野】
本発明はメモリカードを装着又は分離できる通信端末機に関する。
【０００２】
【従来の技術】
従来、例えば特開平６−２９６２０４号公報などには、電話機本体より分離可能なＩＣカードに個人情報を持たせ、他の電話機にそのＩＣカードを装着させたときにはその電話機を「自分の電話」として動作させることができるようにした技術が提案されている。
【０００３】
しかし、上記公報に記載のものは、ＩＣカードに個人識別番号しか持っておらず、あくまでも通話時の課金が自分にされるだけのものであった。従って、「自分の電話」として使用したとしても、電話をかける際には電話番号を手入力しなければならず、つまり、本来の自分の電話にメモリされている電話帳などを使える訳ではなく、重要なメール等の閲覧もできず、「自分の電話」とはほど遠いものであった。
【０００４】
また、ＩＣカードが盗難された場合、その不正使用を防ぐ手段がなく、セキュリティに問題があった。更に、電話機としての移動通信端末機が故障したときのユーザデータの容易な保守手段がないという問題もあった。
【０００５】
【発明が解決しようとする課題】
本発明は上記状況にかんがみ、メモリカードを使用できる通信端末機において、セキュリティの確保、データの保存を確実とすることを目的としてなされたものである。
【０００６】
【課題を解決するための手段】
上記課題を解決する本発明に係る通信端末機は、制御処理部、及びメモリカードを装着又は分離できる機構を有し、前記制御処理部と装着された前記メモリカードとの間で認証及びデータの交換、保存ができるようにしたことを特徴とする。
前記制御処理部は、通信端末機の筐体内に装備され、例えば、ＣＰＵ、メモリ（ＲＡＭ）などからなり、メモリカードを装着できる機構としてはスロットなどが考えられる。メモリカードにも同様にＣＰＵ、メモリが備わっている。
【０００７】
本発明に係る通信端末機では、メモリカードを装着したときに認証を求めることによりセキュリティを図る。ユーザデータはメモリカードに保存される。メモリカードのデータを読み取ることにより、電話帳、メール、保存画像、着信音、メールアドレスなどの使用が可能となる。
【０００８】
本発明に係る通信端末機においては、メモリカードを装着したときは、メモリカードより個人識別番号（電話番号）を読み出せる。また、電話帳だけでなく、着信音、メール、その他の個人データを読み出すことができる。更に、メモリカードに対して電話帳、着信音、メール、その他の個人データを保存させることもできる。
【０００９】
本発明に係る通信端末機において、前記認証を行うための命令は、通信端末機側からメモリカードに対し発行する。メモリカードから通信端末機に対し認証命令を発行することができ、その場合は、通信端末機側で命令を受信する。
【００１０】
本発明に係る通信端末機においては、メモリカード内の情報を一覧表示できるようにすることができる。また、表示された情報の一覧を使用して任意のデータのみを読み出して転送することもできる。
【００１１】
本発明に係る通信端末機においては、通信端末機内のデータをメモリカード内のメモリに書き込むことができるようにする機能、メモリカード内のメモリのデータを通信端末機内のメモリに書き込むことができるようにする機能を持たせることができる。
【００１２】
本発明に係る通信端末機においては、メモリカード内のメモリにアクセスしてそのデータを通信端末機の表示窓に表示する機能を持たせることができる。
【００１３】
本発明に係る通信端末機においては、メモリカードより読み出した個人識別番号で、発信、着信、メールの送信と受信を可能とし、課金もその個人識別番号で行える機能を持たせることができる。
【００１４】
本発明に係る通信端末機においては、通信端末機内に保存されている個人識別番号を削除できる機能と、メモリカードより読み出した個人識別番号を通信端末機に書き込める機能を持たせることができる。
【００１５】
本発明に係る通信端末機においては、メモリカード内より読み出したデータを通信端末機のメモリに上書きできる機能、通信端末機内のデータをメモリカード内のメモリに上書きできる機能を持たせることができる。
【００１６】
【発明の実施の形態】
本発明に係る通信端末機を実施の一形態に基づいて説明する。図１には本発明を通信端末機としての携帯電話機に適用した斜視外観を示し、図２にはそのブロック図を示す。
【００１７】
図１に示すように、携帯電話機である第1の移動体通信端末機1及び第２の移動体通信端末機２にはそれぞれメモリカードを挿入するためのスロット３が設けられている。スロット３は、メモリカード４が装着又は分離することができるようになっている。つまり、異なる移動体通信端末機１又は２に同一のメモリカード３が着脱できるのである。なお、メモリカード４には個人識別番号（電話番号）及びユーザデータ（メール、電話帳、着信音等）が保存されている。
移動体通信端末機１又は２（以下、移動体通信端末機１と表す）はその表面側に、各種ボタン５（図では一部のみ示し、他は省略してある）が設けられると共に、表示窓６が設けられている。
【００１８】
図２に示すように、移動体通信端末機１には制御処理部としてのＣＰＵ７、メモリとしてのＲＡＭ８及びインターフェース９などが備わっている。同様にメモリカード４には制御処理部としてのＣＰＵ１０、メモリ１１及びインターフェース１２などが備わっている。移動体通信端末機１においては、ＣＰＵ７によりＲＡＭ８、インターフェース９を制御し、メモリカード４においては、ＣＰＵ１０によりメモリ１１、インターフェース１２を制御し、移動体通信端末機１とメモリカード４相互間でデータの受け渡しを可能としている。
【００１９】
次に、本例における処理を図３〜図５に基づいて説明する。
ここで、本例ではメモリカード４が保持する個人識別番号フラグとユーザデータフラグとにより、移動体通信端末１とメモリカード４との正当性を判断処理している。すなわち、個人識別番号フラグは、メモリカード４が或る移動体通信端末１の配下にあるとき（すなわち、その移動体通信端末１が保持する個人識別番号とそのメモリカード４が保持する個人識別番号とが一致するとき）にはＯＦＦ、メモリカード４が移動体通信端末１から分離されてその配下から解放されているときにはＯＮとされ、メモリカード４がいずれの移動体通信端末１用のものになっているかが判別される。また、ユーザデータフラグは、メモリカード４が移動体通信端末１から正常な処理で抜き取られた（すなわち、分離された）ときにはＯＮ、メモリカード４が移動体通信端末１に装着されているときにはＯＦＦとされ、移動体通信端末１から不正な処理で抜き取られたときにはＯＦＦのままとまる。
【００２０】
図３には電源ＯＮ時の移動体通信端末機１における処理の流れを示す。
移動体通信端末機１の電源ＯＮ時には、先ずメモリカード４があるか否か、つまり移動通信端末機１のスロット３にメモリカード４が装着されているか否かが判断される（ステップＳ１）。これは、スロット３内に設けられている接点とメモリカード４の接点とが接触していることを検知することによりなされる。メモリカード４がある場合には、メモリカード４より個人識別番号フラグ、ユーザデータフラグの読み出しがなされる（ステップＳ２）。個人識別番号フラグとは、同じ識別番号の移動体通信端末を２台以上発生させないためのフラグであり、ユーザデータフラグとは、メモリカード４が移動体通信端末より正常な処理によって分離されたかを判定するためのフラグである。
【００２１】
次に、個人識別番号フラグがＯＮかどうか判断される（ステップＳ３）。個人識別番号フラグがＯＮの場合には、移動体通信端末機１のＣＰＵ７が使用者に対し認証を要求する（ステップＳ４）。この認証要求に対し、使用者がＩＤ、パスワードを入力すると、認証がＯＫか否かが判断される（ステップＳ５）。認証がＯＫであると、つまり認証が確立されると個人識別番号フラグがＯＮか否かが判断される（ステップＳ６）。
【００２２】
個人識別番号フラグがＯＮであると、メモリカード４より個人識別番号の読み出しがなされ、それが移動通信端末機１のＲＡＭ２に保存される（ステップＳ７）。この後、個人識別番号フラグがＯＦＦとされ（ステップＳ８）、更にユーザデータフラグがＯＦＦとされ（ステップＳ９）、移動体通信端末１は送受信の待ち受け状態となる。この状態では、メモリカード４より読み出された個人識別番号で、発信、着信、メールの送受信ができるようになり、課金もこの個人識別番号に対しなされる。具体的には、図２に示したように、移動体通信端末機１側のＣＰＵ７よりインターフェース９、１２を介してメモリカード４側のＣＰＵ１０に呼び出し命令が出され、ＣＰＵ１０によりメモリ１１の個人識別番号が読み出される。
【００２３】
なお、認証が確立された後においては、移動体通信端末機１のボタン等を操作するとことによりメモリカード４内の情報にアクセスすることもできる。そして、それを表示窓６に一覧表示させることもできる。更に、その一覧表示されたデータから任意のデータのみを読み出して転送することもできる。また、逆に移動体通信端末機１内のＲＡＭ８に記憶されているデータをメモリカード４内のメモリ１１に書き込むことができる。したがって、移動体通信端末機１内のＲＡＭ８に記憶されているデータをメモリカード４内のメモリ１１に書き込んでおくことにより、移動体通信端末機故障時のユーザデータの保存（バックアップ）が可能となる。なお、個人識別番号の書き込みは不可とする。
【００２４】
また、メモリカード４より読み出したデータを移動体通信端末機１のＲＡＭ８に上書きできるようにすることもでき、移動体通信端末機１内のデータをメモリカード４内のメモリ１１に上書きできるようにすることもできる。ただし、個人識別番号の上書きはできない。
【００２５】
電源がＯＮされた時、メモリカード４が有りではないと判断されると（ステップＳ１）、移動体通信端末機１自体に個人識別番号があるか否か判断される（ステップ１０）。ここで、個人識別番号が無しと判断されると表示窓に圏外と表示される（ステップＳ１１）。つまり、個人識別番号を有しない移動体通信端末機１を操作できない状態とするのである。個人識別番号が無しではない、つまり動体通信端末機１自体に個人識別番号がある場合には、通信待ち受け状態となる。
【００２６】
ステップＳ３で個人識別番号フラグがＯＮでないと判断されると、ユーザデータフラグがＯＮか否かが判断される（ステップＳ１２）。ユーザデータフラグがＯＮである場合にはステップＳ５の認証要求に移行する。ユーザデータフラグがＯＮでない場合には、この移動体通信端末１に装着されたメモリカード４は不正な処理によって移動体通信端末から分離されたものであるので、表示窓６にエラー表示する（ステップＳ１３）。
【００２７】
ステップＳ５で認証がＯＫでない場合、つまり、認証要求に対し、ＩＤやパスワードの入力が正しくない場合には、認証リトライかどうか判断される（ステップＳ１４）。認証は所定の回数のみ許され、やり直しができる回数内かどうかが判断されるのである。所定の回数以内であれば認証リトライが可能であり、ステップＳ４に戻り、再度認証要求が発せられる。認証が所定の回数なされた場合には認証リトライがＮＯと判断され、つまりそれ以上認証操作はできず、表示窓６に終了メッセージが表示される（ステップＳ１５）。
【００２８】
ステップＳ６で個人識別番号フラグがＯＮではない場合には、当該メモリカード４は当該移動体通信端末１に既に装着された状態のものであるので、ユーザデータの転送、読み出しがなされ（ステップＳ１６）、ステップＳ９に移行し、ユーザデータフラグをＯＦＦとする（ステップＳ９）。
【００２９】
なお、移動体通信端末機１は、そのＲＡＭ８に保存されている個人識別番号を削除できる機能を有し、またメモリカード４から読み出した個人識別番号を移動体通信端末に書き込める機能を有する。
【００３０】
次に、移動体通信端末機１の電源がＯＮ、つまり待ち受け状態においてメモリカード４が挿入されたときの処理を図４により説明する。
移動体通信端末機１が待ち受けの状態で、そのスロット３にメモリカード４が装着されると、メモリカード４が挿入されたことが検出され（ステップＳ２１）、メモリカード４より個人識別番号フラグの読み出しがなされる（ステップＳ２２）。読み出された個人識別番号は移動通信端末機１に記憶されている個人識別番号と等しくないかどうか判断される（ステップＳ２３）。
【００３１】
読み出された個人識別番号が移動通信端末機１に記憶されている個人識別番号と等しくないと判断されたときは、次にユーザデータフラグがＯＮかどうか判断される（ステップＳ２４）。ユーザデータフラグがＯＮと判断されると、正常な処理によって移動体通信端末から分離されたメモリカード４が挿入されたことであるので、使用者に対し認証要求がなされる（ステップＳ２５）。この認証要求に対し、使用者がＩＤ、パスワードを入力すると、認証がＯＫか否か判断される（ステップＳ２６）。
【００３２】
認証がＯＫであると、つまり認証が確立されると、メモリカード４からのユーザデータの転送、読み出しがなされ（ステップＳ２７）、次いで、ユーザデータフラグがＯＦＦとされ（ステップＳ２８）、待ち受け状態となる。
【００３３】
ステップステップＳ２３において、個人識別番号が移動通信端末機１側の個人識別番号と等しいと判断されると、当該移動体通信端末１に元々装着されていたメモリカード４が再び挿入されたことであるので、ステップＳ２７に移行する。
【００３４】
ステップＳ２４において、ユーザデータフラグがＯＮではないと判断されると、メモリカード４が正常処理により分離されたものでないので、表示窓６にエラー表示をする（ステップＳ２９）。
【００３５】
認証を判断するステップＳ２６において、認証がＯＫでないと判断された場合、つまり、認証要求に対し、ＩＤやパスワードの入力が正しくない場合には、認証リトライかどうか判断される（ステップＳ３０）。認証は所定の回数のみ許され、やり直しができる回数内かどうかが判断されるのである。所定の回数以内であれば認証リトライが可能であり、ステップＳ２５に戻り、再度認証要求が発せられる。認証が所定の回数なされた場合には認証リトライがＮＯと判断され（ステップＳ３０）、つまりそれ以上認証操作はできず、表示窓６に終了メッセージが表示される（ステップＳ３１）。
【００３６】
次に、移動体通信端末機１よりメモリカード４が分離されるときの処理を図５に基づき説明する。
移動体通信端末機１の待ち受け中にメモリカード４の分離を行うには、使用者が移動体通信端末機１に対し分離要求をする（ステップＳ４１）。これは、例えば移動体通信端末機１のボタンを操作することによりなされる。使用者の分離要求が受け付けられると、移動体通信端末機１のＣＰＵ７が使用者に対し認証要求をする（ステップＳ４２）。
【００３７】
この認証要求に対し、使用者がＩＤ、パスワードを入力すると、認証がＯＫか否か判断される（ステップＳ４３）。認証がＯＫでないと判断された場合、つまり、認証要求に対し、ＩＤやパスワードの入力が正しくない場合には、認証リトライかどうか判断される（ステップＳ４７）。認証は所定の回数のみ許され、やり直しができる回数内かどうかが判断されるのである。所定の回数以内であれば認証リトライが可能であり、ステップＳ４２に戻り、再度認証要求が発せられる。認証が所定の回数なされた場合には認証リトライがＮＯと判断され（ステップＳ４７）、つまりそれ以上認証操作はできず、表示窓６に終了メッセージが表示される（ステップＳ４８）。
【００３８】
認証がＯＫであると、つまり認証が確立されると、移動体通信端末１のＲＡＭ８に記憶されている個人識別番号が削除されているか否か判断される（ステップＳ４４）。使用者のボタン操作により個人識別番号が削除されている場合には、メモリカード４の個人識別番号フラグをＯＮとして当該メモリカード４を自機１の配下から解放し（ステップＳ４５）、メモリカード４のユーザデータフラグをＯＮとし（ステップＳ４６）、当該移動体通信端末１により通信ができないことを示すために表示窓６に圏外表示する。このようにしてメモリカード４は正常に分離される。正常に分離されたメモリカード４は、図１に示すように他の移動通信端末機２において使用が可能となっている。
【００３９】
ステップＳ４４において、移動体通信端末１のＲＡＭ８に記憶されている個人識別番号が削除されていないと判断された場合には、メモリカード４のユーザデータフラグをＯＮとし（ステップＳ４９）、待ち受け画面に戻る。つまり、当該移動体通信端末１は当該メモリカード４が抜き取られただけの状態となり、メモリカード４なしで個人識別番号を用いた通信が可能な状態となる。また、メモリカード４のデータは他の移動体通信端末機においても使用できる状態となる。
【００４０】
上記のように正常に処理され、又は使用方法を限定して処理された場合には、その後において、それぞれ正常に使用でき、又は用途を限定してメモリカード４を使用することができるが、上記のような過程を経ず終了されたメモリカード、例えば移動通信端末機１から強制的に分離されたメモリカードは他の端末機に挿入したとしても、図３に示したステップＳ１２、図４に示したステップＳ２４の処理によりエラー表示がなされ、当該移動通信端末機の使用は不可となる。
【００４１】
上記実施の形態は、本発明を移動通信端末機として携帯電話機に適用したものであるが、本発明は、パソコン、ポケットボード、その他の通信端末機一般に適用できる。
【００４２】
【発明の効果】
本発明に係る通信端末機によれば、制御処理部、及びメモリカードを装着又は分離できる機構を有し、前記制御処理部と装着された前記メモリカードとの間で認証及びデータの交換、保存ができるようにしたので、データのバックアップが可能となり、通信端末機の故障時にもユーザデータを保守することができる。また、他の通信端末機を使って自分の個人識別番号（電話番号）で発着信、その番号に対する課金が可能となり、他の通信端末へのユーザデータの転送、読み出しが可能となり、通信端末機の機種交換も容易となる。
【図面の簡単な説明】
【図１】本発明の一実施形態に係る通信端末機システム構成を示す概略斜視図である。
【図２】本発明の一実施ＯＮ時の処理を示すブロック図である。
【図３】本発明の一実施形態における電源ＯＮ時の処理を示すフローチャートである。
【図４】本発明の一実施形態における、待ち受け状態でメモリカードが挿入された場合の処理を示すフローチャートである。
【図５】メモリカードを分離する際のフローチャートである。
【符号の説明】
１、２：移動体通信端末機、３：スロット、４：メモリカード
７：ＣＰＵ、８：ＲＡＭ、：ＲＯＭ、
７：ＲＡＭ、８：マイク、１０：ＣＰＵ、１１：メモリ、
【図１】
0004489981.tif 000002
【図２】
0004489981.tif 000003
【図３】
0004489981.tif 000004
【図４】
0004489981.tif 000005
【図５】
0004489981.tif 000006